(57)【要約】本発明は、取り付け部と、モバイルデバイス（１００）における筐体（１６０）上の音響ポート（１５２）とを一体化するための方法および装置について開示するものである。モバイルデバイス（１００）は、筐体（１６０）内に配置されたスピーカ（１５０）を含む。なお、一体化された取り付け部および筐体（１６０）に配置された音響ポート（１５２）は、音響管（１５４）を通って、スピーカから可聴音が出力されるように構成される。また、モバイルデバイス（１００）は、外部部材（１７０、１７２）を当該モバイルデバイス（１００）に取り付けるための取り付け部材（１５８）を含む。また、モバイルデバイス（１００）は、携帯ラジオ、カセットプレーヤ、ＣＤプレーヤまたはＭＰ３プレーヤのようないくつかのパーソナル電子デバイスを含んでもよい。さらに、モバイルデバイス（１００）は、セルラー方式の携帯電話、ポケベルまたはＰＤＡのようなモバイル通信デバイスを含んでもよい。
2007534216.tif 000002
【特許請求の範囲】
【請求項１】
モバイルデバイスであって、
筐体と、
前記モバイルデバイスからの可聴音信号を出力するために前記筐体内に配置されたスピーカと、
前記筐体に配置された一体化された取り付け部および音響ポートとを含み、
前記一体化された取り付け部および音響ポートは、前記スピーカからの可聴音を出力するように構成され、かつ、外部部材を前記モバイルデバイスに取り付けるための取り付け部材を備えていることを特徴とするモバイルデバイス。
【請求項２】
前記取り付け部材は、
前記一体化された取り付け部および音響ポートに配置された支持バーを含むことを特徴とする請求項１に記載のモバイルデバイス。
【請求項３】
前記支持バーは、
前記一体化された取り付け部および音響ポートにおいて橋渡された固定部材であることを特徴とする請求項２に記載のモバイルデバイス。
【請求項４】
前記支持バーは、
前記外部部材の一部が、前記支持バーと前記筐体との間を通過可能となるように、前記筐体から間隔が空けられて配置されることを特徴とする請求項２に記載のモバイルデバイス。
【請求項５】
前記支持バーは、
前記外部部材の一端に配置されたスプリングクリップを前記支持バーと前記筐体との間に延伸されることを可能とするように前記筐体から間隔を空けられて配置されることを特徴とする請求項４に記載のモバイルデバイス。
【請求項６】
前記一体化された取り付け部および音響ポートを前記スピーカへ音響的に接続するために、前記一体化された取り付け部および音響ポートと前記スピーカとの間で前記モバイルデバイス内に配置された音響管をさらに含むことを特徴とする請求項１に記載のモバイルデバイス。
【請求項７】
前記スピーカは、前記一体化された取り付け部および音響ポートを介して、音声を出力することを特徴とする請求項１に記載のモバイルデバイス。
【請求項８】
前記スピーカは、前記一体化された取り付け部および音響ポートを介して、通知信号を出力することを特徴とする請求項１に記載のモバイルデバイス。
【請求項９】
前記モバイルデバイスは、
携帯ラジオ、携帯カセットプレーヤ、携帯ＣＤプレーヤ、携帯ＭＤプレーヤおよび携帯ＭＰ３プレーヤの少なくとも１つであることを特徴とする請求項１に記載のモバイルデバイス。
【請求項１０】
前記筐体内に配置され、信号を送信および受信するための通信回路をさらに含むことを特徴とする請求項１に記載のモバイルデバイス。
【請求項１１】
前記モバイルデバイスは、
セルラー方式の携帯電話、携帯情報端末、ポケベルおよびパーソナル通信システムの少なくとも１つであることを特徴とする請求項１０に記載のモバイルデバイス。
【請求項１２】
前記一体化された取り付け部および音響ポートは、
前記筐体の外縁部に配置されることを特徴とする請求項１に記載のモバイルデバイス。
【請求項１３】
筐体と、該筐体内に配置された可聴信号を出力するためのスピーカとを含むモバイルデバイスから可聴信号を出力するための方法であって、
前記方法は、
前記モバイルデバイスからの音響を出力するために、前記筐体の少なくとも一部にある凹状の音響ポートを提供する提供ステップと、
外部部材を前記モバイルデバイスに取り付けるための前記音響ポート内に取り付け部材を配置する配置ステップと
を含むことを特徴とする方法。
【請求項１４】
前記音響ポートに前記取り付け部材を配置する配置ステップは、
前記外部部材の一部が前記取り付け部材に取り付けられる程度に該凹状の音響ポートと該取り付け部材との間に間隔を設け、かつ、該凹状の音響ポートを該取り付け部材が横切るように橋渡しする橋渡しステップを含むことを特徴とする請求項１３に記載の方法。
【請求項１５】
前記一体化された取り付け部および音響ポートと前記スピーカとの間の前記モバイルデバイス内に、該スピーカから該音響ポートへと可聴音信号を導くための音響管を設けるステップをさらに含むことを特徴とする請求項１３に記載の方法。
【請求項１６】
モバイルデバイスであって、
筐体と、
前記筐体に少なくとも部分的に形成された一体化された取り付け部および音響ポートとを含み、
前記一体化された取り付け部および音響ポートは、周辺の壁部と、外部部材を接続するために前記音響ポートを横切るように橋渡しされる少なくとも１つの取り付けバーとを含み、
前記取り付けバーは、当該取り付けバーの周囲の空きスペースが前記外部部材を前記取り付けバーの周囲に取り付けられる程度のサイズとなるように、前記音響ポートに対して間隔を空けて配置され、
前記モバイルデバイスから前記一体化された取り付け部および音響ポートを介して音を出力するために前記モバイルデバイス内に配置されたスピーカをさらに含むことを特徴とするモバイルデバイス。
【請求項１７】
前記取り付けバーは、固定された部材であることを特徴とする請求項１６に記載のモバイルデバイス。
【請求項１８】
前記一体化された取り付け部および音響ポートを介して、前記モバイルデバイスの外へ音を導くために、該一体化された取り付け部および音響ポートと前記スピーカとの間であって、かつ、該モバイルデバイス内に配置された音響管をさらに含むことを特徴とする請求項１６に記載のモバイルデバイス。
【請求項１９】
前記スピーカは、前記一体化された取り付け部および音響ポートを介して、前記モバイルデバイスの外へ音声を導くことを特徴とする請求項１６に記載のモバイルデバイス。
【請求項２０】
前記スピーカは、前記一体化された取り付け部および音響ポートを介して、前記モバイルデバイスの外へ通知信号を導くことを特徴とする請求項１６に記載のモバイルデバイス。
【請求項２１】
前記モバイルデバイスは、
携帯ラジオ、携帯カセットプレーヤ、携帯ＣＤプレーヤ、携帯ＭＤプレーヤおよび携帯ＭＰ３プレーヤの少なくとも１つであることを特徴とする請求項１６に記載のモバイルデバイス。
【請求項２２】
前記筐体内に配置された、信号を送信および受信するための通信回路をさらに含むことを特徴とする請求項１６に記載のモバイルデバイス。
【請求項２３】
前記モバイルデバイスは、
セルラー方式の携帯電話、携帯情報端末、ポケベルおよびパーソナル通信システムの少なくとも１つであることを特徴とする請求項２２に記載のモバイルデバイス。
【請求項２４】
前記一体化された取り付け部および音響ポートは、
前記筐体の外縁部に配置されることを特徴とする請求項１６に記載のモバイルデバイス。
【請求項２５】
モバイルデバイスであって、
筐体と、
前記筐体に少なくとも部分的に形成された一体化ポートとを含み、
前記一体化ポートは、
前記モバイルデバイスからの可聴音信号を出力するための出力手段と、
前記モバイルデバイスに外部部材を取り付けるための取り付け手段と
を含むことを特徴とするモバイルデバイス。
【請求項２６】
前記外部部材を取り付けるための取り付け手段は、
前記一体化ポートに配置された取り付け部材を含むことを特徴とする請求項２５に記載のモバイルデバイス。
【請求項２７】
前記取り付け部材は、
該取り付け部材と前記一体化ポートとの間で設けられた空きスペースが、前記取り付け部材に前記外部部材を取り付けられる程度のサイズとなるように、前記一体化ポートに対して間隔を空けて配置されることを特徴とする請求項２６に記載のモバイルデバイス。
【請求項２８】
前記筐体内に配置されたスピーカから前記一体化ポートに前記可聴音信号を導くための導き手段をさらに含むことを特徴とする請求項２５に記載のモバイルデバイス。
【請求項２９】
前記モバイルデバイスは、
携帯ラジオ、携帯カセットプレーヤ、携帯ＣＤプレーヤ、携帯ＭＤプレーヤおよび携帯ＭＰ３プレーヤの少なくとも１つであることを特徴とする請求項２５に記載のモバイルデバイス。
【請求項３０】
通信信号を送信および受信するための送受信手段をさらに含むことを特徴とする請求項２５に記載のモバイルデバイス。
【請求項３１】
前記モバイルデバイスは、
セルラー方式の携帯電話、携帯情報端末、ポケベルおよびパーソナル通信システムの少なくとも１つであることを特徴とする請求項３０に記載のモバイルデバイス。
【発明の詳細な説明】
【技術分野】
【０００１】
本発明は、移動装置（モバイルデバイス）に関する。特に、いくつかの外部部品を一体化することでモバイルデバイスのサイズを小さくすることに関する。
【背景技術】
【０００２】
セルラー方式の携帯電話、携帯情報端末（ＰＤＡ）、ＭＰ３プレーヤ等のモバイルデバイスの人気の高まりは、それらのサイズが小さくかつ携帯性に優れていることによるところが大きい。１０年を越え、モバイルデバイスのサイズの小型化が進められてきたにもかかわらず、消費者は、よりいっそうの小型化を望んでいる。この要望に応えるべく、製造業者は、大量の資金を毎年のように費やし、モバイルデバイスのサイズを小型化する新たな方法を追求している。
【発明の開示】
【発明が解決しようとする課題】
【０００３】
１つの解決方法は、２つまたはそれ以上のポートの機能を１つのポートへと一体化することによって、モバイルデバイスの筐体に配置された外部ポートの数を削減する方法である。１つまたはそれ以上の外部ポートを削減することによって、設計者は、スペースを節約することができる。したがって、設計者は、モバイルデバイスのサイズを縮小しうる。
【課題を解決するための手段】
【０００４】
本発明は、モバイルデバイスの筐体において、取り付け部および音響ポートを一体化する方法および装置について開示するものである。モバイルデバイスは、筐体内に配置されたスピーカを含む。なお、一体化された取り付け部および音響ポートは、筐体に配置されており、かつ、音響管を通って、スピーカからの可聴音が出力されるように構成される。さらに、一体化された取り付け部および音響ポートは、外部部材をモバイルデバイスに取り付けるための取り付け部材を含む。
【０００５】
一の実施形態において、モバイルデバイスは、一体化された取り付け部および音響ポートが少なくとも部分的に筐体内に形成されている。また、一体化された取り付け部および音響ポートは、少なくとも１つの取り付けバーを含む。取り付けバーは、外部部材を接続するものであり、音響ポート内を横切るように延伸している。取り付けバーは、当該取り付けバーの周囲に空きスペースが確保されるように、音響ポートに対して間隔を空けて配置される。また、取り付けバーは、当該取り付けバーの周囲に外部部材を取り付けられる程度のサイズの部材である。一体化された取り付け部および音響ポートは、さらに、モバイルデバイス内に配置されたスピーカからの音を出力する。
【発明を実施するための最良の形態】
【０００６】
本発明に利用される移動装置（モバイルデバイス）には、公知のモバイル通信デバイスや携帯電子デバイスが含まれうる。図１は、本発明によるモバイル通信デバイス１００の一例を示す図である。なお、以下の記載では、用語「モバイル通信デバイス」には、セルラー方式の携帯電話１００ａ、衛星電話、パーソナル通信サービス（ＰＣＳ）デバイス、携帯情報端末（ＰＤＡ）１００ｂ、パームトップコンピュータ、およびポケベルなどが含まれてもよい。図２Ａは、これらのモバイル通信デバイスの例を示す。本発明は、モバイル通信デバイス１００に関して記載されているが、当業者であれば、モバイル通信デバイスにのみ限定される発明ではないということを理解できよう。例えば、本発明は、携帯電子デバイス１０２のような他のモバイルデバイスを実施形態として採用してもよい。携帯電子デバイス１０２とは、携帯ラジオ、カセットプレーヤ１０２ａ、ＣＤプレーヤ、ＭＤプレーヤ１０２ｂ、およびＭＰ３プレーヤなどのうち少なくとも１つを含む。図２Ｂは、これらの携帯電子デバイスの例を示す。したがって、ここで説明するように、当業者は、モバイルデバイスには、モバイル通信デバイス１００や携帯電子デバイス１０２が含まれうることを理解するであろう。
【０００７】
モバイル通信デバイス１００は、アンテナ１１０および通信回路１２０を含む。アンテナ１１０は、当業界において既知の手段による無線信号の送信および受信を行う。通信回路１２０は、入出力回路１３４、トランシーバ１２２、メモリ１２４、マイクロプロセッサ１３２、音響処理回路１３６およびユーザインタフェース１４０を含む。入出力回路１３４は、当業界において既知の手段により、マイクロプロセッサ１３２、トランシーバ１２２、音響処理回路１３６およびユーザインタフェース１４０を接続する。音響処理回路１３６は、スピーカ１４８、１５０に基本的なアナログ出力信号を出力し、マイクロホン１４６からアナログ音響入力を受信する。アンテナ１１０に接続さたトランシーバ１２２は、一般に知られている標準規格により動作を行う十分な機能を備えたセルラー無線方式のトランシーバ（通信装置）である。このような標準規格は、ＧＳＭ規格、ＴＩＡ／ＥＩＡ−１３６、ｃｄｍａＯｎｅ、ｃｄｍａ２０００、ＵＭＴＳおよび広帯域ＣＤＭＡのような規格である。
【０００８】
マイクロプロセッサ１３２は、メモリ１２４に記憶されているコンピュータプログラムによるモバイル通信デバイス１００の処理を制御する。マイクロプロセッサ１３２の制御機能は、単一のマイクロセッサまたは複数のマイクロプロセッサに実装されてもよい。適したマイクロプロセッサには、例えば、通常用途および特殊用途のマイクロプロセッサと、デジタルシグナルプロセッサとの両方が含まれてもよい。
【０００９】
メモリ１２４は、モバイル通信デバイス１００のメモリの全体階層を表す。なお、メモリ１２４は、ランダムアクセスメモリ（ＲＡＭ）と読み取り専用のメモリ（ＲＯＭ）との両方を含んでもよい。処理に必要とされるコンピュータプログラムの命令およびデータは、不揮発性メモリ、例えば、ＥＰＲＯＭ、ＥＥＰＲＯＭおよびフラッシュメモリの少なくとも１つに記憶されている。また、これらのメモリは、個別デバイス、スタックデバイスまたはマイクロプロセッサ１３２の集積回路として実装されてもよい。図１に示すように、マイクロプロセッサ１３２、入出力回路１３４および音響処理回路１３６の少なくとも１つは、特別に設計された専用集積回路（ＡＳＩＣ）１３０に組み込まれてもよい。図示していないが、ＡＳＩＣ１３０は、メモリ１２４を含むようにしてもよい。
【００１０】
ユーザインタフェース１４０は、キーパッド１４２、ディスプレイ１４４、マイクロホン１４６、第１のスピーカ１４８、第２のスピーカ１５０、一体化された取り付け部および音響ポート（以下では、一体化ポート１５２と称す。）並びに音響管１５４を含む。キーパッド１４２は、ユーザが番号の入力、コマンドの入力および機能の選択を行うことを可能にする。また、これらの入力は、英数字のキーパッドや、オプションとしてのナビゲーション制御装置、例えば、当分野でよく知られているようなジョイスティックにより行われる。ディスプレイ１４４は、入力された電話番号、画像、呼の状態、メニューオプションおよびサービス情報をユーザに表示する。
【００１１】
マイクロホン１４６は、ユーザの音声を電気的な音響信号に変換する。第１のスピーカ１４８は、終端ユーザからの音声信号のような電気的な音響信号をユーザが聞き取り可能な可聴音信号に変換する。第２のスピーカ１５０は、ハイレベルな音声および通知信号（すなわち、ベルまたはアラーム）のような電気的な音響信号を以下に記載する音響管１５４および一体化ポート１５２を介してユーザに対して出力される可聴音信号に変換する。図１には、２つの分離されたスピーカとして、第１のスピーカ１４８および第２のスピーカ１５０が図示されている。しかしながら、当業者は、第１のスピーカ１４８および第２のスピーカ１５０が一体化された単一のスピーカとされてもよいということを理解するであろう。
【００１２】
図３は、本発明に係るモバイル通信デバイスの一例を示す図である。モバイル通信デバイス１００は、前面部１６２および図示していない背面部を有する筐体１６０と、前面部１６２を背面部に接続する外縁部とを含む。さらに、モバイル通信デバイス１００は、天面部および底面部１６４、左側面部および右側面部１６６を含む。さらに、モバイル通信デバイス１００は、キーパッド１４２、ディスプレイ１４４、マイクロホン１４６のための入力ポート、第１のスピーカ１４８のための出力ポートおよび一体化ポート１５２を含む。キーパッド１４２、ディスプレイ１４４、第１のスピーカ１４８のための出力ポートおよびマイクロホン１４６のための入力ポートは、筐体１６０の前面部１６２に配置され、上述したような動作を行う。
【００１３】
一体化ポート１５２は、上述したように第２のスピーカ１５０のための出力ポートとして動作する。また、一体化ポート１５２は、筐体１６０上であればどこに配置されてもよい。最良の実施形態において、一体化ポート１５２は、少なくとも部分的に筐体１６０の外縁部に形成される。図３に示すように、典型的なモバイル通信デバイス１００は、当該モバイル通信デバイス１００の天面部、底面部１６４に一体化ポート１５２を備えてもよい。一方、図２Ａに示すように、一体化ポート１５２は、モバイル通信デバイス１００の側面１６６に形成されてもよい。
【００１４】
図４Ａおよび図４Ｂは、本発明に係る一体化ポート１５２の詳細な例を示す図である。図に示した形態において、一体化ポート１５２は、筐体１６０内に形成される開口部または凹部１５６を含むように構成される。開口部は、通常、可聴音を出力するために１つまたはそれ以上のスピーカホール１５７を備える。さらに、一体化ポート１５２は、支持部材１５８を含む。図４Ａには、一体化ポート１５２に配置された単一の固定された支持部材１５８が示されているが、当業者は、一体化ポート１５２に複数の固定された支持部材１５８が配置されてもよいということを理解するであろう。さらに、本発明は、図に示した固定された支持部材１５８に限定されない。すなわち、一体化ポート１５２は、外部部材を取り付けるために適切な取り付け部材または取り付けバーの他のタイプが含まれるようにしてもよい。
【００１５】
図４Ｂは、図４Ａの一体化ポート１５２の断面を示す図である。支持部材１５８は、当該支持部材１５８が凹部１５６に橋を渡すように凹部１５６内に配置される。また、支持部材１５８は、凹部１５６の端部１５９から間隔を空けて配置される。図４Ｂに示すように、凹部１５６の端部１５９と支持部材１５８との間に空間を設けることにより、締め紐１７０のスプリングクリップ１７２などの外部部材の端部を、支持部材１５８の周囲を通過させるようにしてに取り付けるための十分なスペースが確保される。図４Ｂには、スプリングクリップ１７２が支持部材１５８の周囲をしっかりと取り付けられた様子を示しているが、当業者は、ストラップ、クリップその他の既知のものを取り付けるために、支持部材１５８と凹部１５６の端部１５９とに間に間隔を設けてもよいことを理解できよう。さらに、当業者は、既知の外部部材をモバイルデバイスに取り付けるために支持部材１５８が使用されうるということを理解できよう。外部部材には、締め紐、ストラップ、クリップ、キーホルダおよびこれらに似たものが含まれてもよい。
【００１６】
さらに、図４Ｂは、音響管１５４が第２のスピーカ１５０と一体化ポート１５２との間に配置されていることを示す。上述したように、一体化ポート１５２は、第２のスピーカからの可聴音を出力する。さらに、音響管１５４は、第２のスピーカ１５０から生成された可聴音を一体化ポート１５２に送出する。図示していないが、音響管１５４は、音響インピーダンスの整合要素を備えてもよい。この整合要素は、第２のスピーカ１５０の音響インピーダンスを、一体化ポート１５２の外部の環境における音響インピーダンスへと整合させるため要素である。
【００１７】
当業者は、本発明が図１および図４Ｂに示す音響管の構成に限定されないということを理解できよう。すなわち、音響管１５４には、既知の構成が利用されてもよい。例えば、音響管１５４は、スピーカ１５０から一体化ポート１５２により良い可聴音を出力するために、円錐形とされてもよい。さらに、図１に示すように、音響管１５４は、空間要件に対してより適応するため、１つまたはそれ以上の湾曲部を含んでもよい。
【００１８】
もちろん、本発明は、本発明の本質的特徴から逸脱せずに、ここで明確に規定された方法とは異なる他の方法で達成されてもよい。本実施形態は、上述した説明のようにあらゆる観点において、考慮され、かつ、限定されるものではない。また、本実施形態は、添付されたクレームの手段および同等の範囲に含まれるすべての変形が可能である。
【図面の簡単な説明】
【００１９】
【図１】本発明に係るモバイルデバイスの一例を示すブロック図である。
【図２Ａ】本発明に係る様々なモバイル通信デバイスを示す図である。
【図２Ｂ】本発明に係る様々な携帯電子デバイスを示す図である。
【図３】前から見たモバイルデバイスの一例を示す図である。
【図４Ａ】本発明に係る一体化ポートの天面を示す図である。
【図４Ｂ】図４Ａの一体化ポートの断面を示す図である。
【図１】
2007534216.tif 000003
【図２Ａ】
2007534216.tif 000004
【図２Ｂ】
2007534216.tif 000005
【図３】
2007534216.tif 000006
【図４Ａ】
2007534216.tif 000007
【図４Ｂ】
2007534216.tif 000008
【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
モバイルデバイスであって、
筐体と、
前記モバイルデバイスからの可聴音信号を出力するために前記筐体内に配置されたスピーカと、
前記筐体に配置された一体化された取り付け部および音響ポートとを含み、
前記一体化された取り付け部および音響ポートは、前記スピーカからの可聴音を出力するように構成され、かつ、外部部材を前記モバイルデバイスに取り付けるための取り付け部材を備え、
前記取り付け部材は、
前記一体化された取り付け部および音響ポートに配置された支持バーを含むことを特徴とするモバイルデバイス。
【請求項２】
前記支持バーは、
前記一体化された取り付け部および音響ポートにおいて橋渡された固定部材であることを特徴とする請求項１に記載のモバイルデバイス。
【請求項３】
前記支持バーは、
前記外部部材の一部が、前記支持バーと前記筐体との間を通過可能となるように、前記筐体から間隔が空けられて配置されることを特徴とする請求項１に記載のモバイルデバイス。
【請求項４】
前記支持バーは、
前記外部部材の一端に配置されたスプリングクリップを前記支持バーと前記筐体との間に延伸されることを可能とするように前記筐体から間隔を空けられて配置されることを特徴とする請求項３に記載のモバイルデバイス。
【請求項５】
前記一体化された取り付け部および音響ポートを前記スピーカへ音響的に接続するために、前記一体化された取り付け部および音響ポートと前記スピーカとの間で前記モバイルデバイス内に配置された音響管をさらに含むことを特徴とする請求項１に記載のモバイルデバイス。
【請求項６】
前記スピーカは、前記一体化された取り付け部および音響ポートを介して、音声を出力することを特徴とする請求項１に記載のモバイルデバイス。
【請求項７】
前記スピーカは、前記一体化された取り付け部および音響ポートを介して、通知信号を出力することを特徴とする請求項１に記載のモバイルデバイス。
【請求項８】
前記モバイルデバイスは、
携帯ラジオ、携帯カセットプレーヤ、携帯ＣＤプレーヤ、携帯ＭＤプレーヤおよび携帯ＭＰ３プレーヤの少なくとも１つであることを特徴とする請求項１に記載のモバイルデバイス。
【請求項９】
前記筐体内に配置され、信号を送信および受信するための通信回路をさらに含むことを特徴とする請求項１に記載のモバイルデバイス。
【請求項１０】
前記モバイルデバイスは、
セルラー方式の携帯電話、携帯情報端末、ポケベルおよびパーソナル通信システムの少なくとも１つであることを特徴とする請求項９に記載のモバイルデバイス。
【請求項１１】
前記一体化された取り付け部および音響ポートは、
前記筐体の外縁部に配置されることを特徴とする請求項１に記載のモバイルデバイス。
【請求項１２】
筐体と、該筐体内に配置された可聴信号を出力するためのスピーカとを含むモバイルデバイスから可聴信号を出力するための方法であって、
前記方法は、
前記モバイルデバイスからの音響を出力するために、前記筐体の少なくとも一部にある凹状の音響ポートを提供する提供ステップと、
前記凹状の音響ポートを横切るように取り付け部材を渡すことによって、前記音響ポート内に取り付け部材を配置する配置ステップとを含み、
前記取り付け部材は、外部部材を前記モバイルデバイスに取り付けるように配置される
ことを特徴とする方法。
【請求項１３】
前記音響ポートに前記取り付け部材を配置する配置ステップは、
前記外部部材の一部が前記取り付け部材に取り付けられる程度に該凹状の音響ポートと該取り付け部材との間に間隔を設けるステップを含むことを特徴とする請求項１２に記載の方法。
【請求項１４】
前記一体化された取り付け部および音響ポートと前記スピーカとの間の前記モバイルデバイス内に、該スピーカから該音響ポートへと可聴音信号を導くための音響管を設けるステップをさらに含むことを特徴とする請求項１２に記載の方法。
【請求項１５】
モバイルデバイスであって、
筐体と、
前記筐体に少なくとも部分的に形成された一体化された取り付け部および音響ポートとを含み、
前記一体化された取り付け部および音響ポートは、周辺の壁部と、外部部材を接続するために前記音響ポートを横切るように橋渡しされる少なくとも１つの取り付けバーとを含み、
前記取り付けバーは、当該取り付けバーの周囲の空きスペースが前記外部部材を前記取り付けバーの周囲に取り付けられる程度のサイズとなるように、前記音響ポートに対して間隔を空けて配置され、
前記モバイルデバイスから前記一体化された取り付け部および音響ポートを介して音を出力するため前記モバイルデバイス内に配置されたスピーカをさらに含むことを特徴とするモバイルデバイス。
【請求項１６】
前記取り付けバーは、固定された部材であることを特徴とする請求項１５に記載のモバイルデバイス。
【請求項１７】
前記一体化された取り付け部および音響ポートを介して、前記モバイルデバイスの外へ音を導くために、該一体化された取り付け部および音響ポートと前記スピーカとの間であって、かつ、該モバイルデバイス内に配置された音響管をさらに含むことを特徴とする請求項１５に記載のモバイルデバイス。
【請求項１８】
前記スピーカは、前記一体化された取り付け部および音響ポートを介して、前記モバイルデバイスの外へ音声を導くことを特徴とする請求項１５に記載のモバイルデバイス。
【請求項１９】
前記スピーカは、前記一体化された取り付け部および音響ポートを介して、前記モバイルデバイスの外へ通知信号を導くことを特徴とする請求項１５に記載のモバイルデバイス。
【請求項２０】
前記モバイルデバイスは、
携帯ラジオ、携帯カセットプレーヤ、携帯ＣＤプレーヤ、携帯ＭＤプレーヤおよび携帯ＭＰ３プレーヤの少なくとも１つであることを特徴とする請求項１５に記載のモバイルデバイス。
【請求項２１】
前記筐体内に配置された、信号を送信および受信するための通信回路をさらに含むことを特徴とする請求項１５に記載のモバイルデバイス。
【請求項２２】
前記モバイルデバイスは、
セルラー方式の携帯電話、携帯情報端末、ポケベルおよびパーソナル通信システムの少なくとも１つであることを特徴とする請求項２１に記載のモバイルデバイス。
【請求項２３】
前記一体化された取り付け部および音響ポートは、
前記筐体の外縁部に配置されることを特徴とする請求項１５に記載のモバイルデバイス。
【請求項２４】
モバイルデバイスであって、
筐体と、
前記筐体に少なくとも部分的に形成された一体化ポートとを含み、
前記一体化ポートは、
前記モバイルデバイスからの可聴音信号を出力するための出力手段と、
前記モバイルデバイスに外部部材を取り付けるための取り付け手段とを含み、
前記取り付け手段は、前記一体化ポートに掛けられた取り付け部材を含む
ことを特徴とするモバイルデバイス。
【請求項２５】
前記取り付け部材は、
該取り付け部材と前記一体化ポートとの間で設けられた空きスペースが、前記取り付け部材に前記外部部材を取り付けられる程度のサイズとなるように、前記一体化ポートに対して間隔を空けて配置されることを特徴とする請求項２４に記載のモバイルデバイス。
【請求項２６】
前記筐体内に配置されたスピーカから前記一体化ポートに前記可聴音信号を導くための導き手段をさらに含むことを特徴とする請求項２４に記載のモバイルデバイス。
【請求項２７】
前記モバイルデバイスは、
携帯ラジオ、携帯カセットプレーヤ、携帯ＣＤプレーヤ、携帯ＭＤプレーヤおよび携帯ＭＰ３プレーヤの少なくとも１つであることを特徴とする請求項２４に記載のモバイルデバイス。
【請求項２８】
通信信号を送信および受信するための送受信手段をさらに含むことを特徴とする請求項２４に記載のモバイルデバイス。
【請求項２９】
前記モバイルデバイスは、
セルラー方式の携帯電話、携帯情報端末、ポケベルおよびパーソナル通信システムの少なくとも１つであることを特徴とする請求項２８に記載のモバイルデバイス。
【手続補正書】
【提出日】平成19年4月10日(2007.4.10)
【手続補正１】
【補正対象書類名】特許請求の範囲
【補正対象項目名】請求項４
【補正方法】変更
【補正の内容】
【請求項４】
前記支持バーは、
前記外部部材の一端に配置されたスプリングクリップが、前記支持バーと前記筐体との間を通過可能となるように、前記筐体から間隔を空けられて配置されることを特徴とする請求項３に記載のモバイルデバイス。
【手続補正２】
【補正対象書類名】特許請求の範囲
【補正対象項目名】請求項２４
【補正方法】変更
【補正の内容】
【請求項２４】
モバイルデバイスであって、
筐体と、
前記筐体に少なくとも部分的に形成された一体化ポートとを含み、
前記一体化ポートは、
前記モバイルデバイスからの可聴音信号を出力するための出力手段と、
前記モバイルデバイスに外部部材を取り付けるための取り付け手段とを含み、
前記取り付け手段は、前記一体化ポートに渡された取り付け部材を含む
ことを特徴とするモバイルデバイス。
【国際調査報告】
2007534216.tif 000009
2007534216.tif 000010
2007534216.tif 000011